【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
映像信号に基づき表示部に映像を表示する映像表示装置用の表示部駆動回路において、
前記映像信号の輝度情報を制御する第１の制御部と、
前記第１の制御部により制御された輝度情報に基づき前記表示部の画面に照射されるバックライトの照度を制御する第２の制御部と、
を備えることを特徴とする表示部駆動回路。
【請求項２】
請求項１に記載の表示部駆動回路において、
前記第１の制御部はフィードバック系を構成して前記輝度情報を制御することを特徴とする表示部駆動回路。
【請求項３】
請求項１に記載の表示部駆動回路において、
前記第２の制御部はフィードフォワード系を構成して前記表示部の画面に照射されるバックライトの照度を制御することを特徴とする表示部駆動回路。
【請求項４】
請求項１に記載の表示部駆動回路において、
前記第２の制御部は前記第１の制御部により制御された輝度情報の平均輝度情報に基づき前記表示部の画面に照射されるバックライトの照度を制御することを特徴とする表示部駆動回路。
【請求項５】
請求項４に記載の表示部駆動回路において、
前記第２の制御部は、前記平均輝度情報が第１の所定値よりも高いときは前記バックライトの照度を増大させることを特徴とする表示部駆動回路。
【請求項６】
請求項４または請求項５に記載の表示部駆動回路において、
前記第２の制御部は、前記平均輝度情報が第２の所定値よりも低いときは前記バックライトの照度を減少させることを特徴とする表示部駆動回路。
【請求項７】
請求項１に記載の表示部駆動回路において、
前記第１の制御部により制御された輝度情報に基づき前記映像信号の色信号情報を変え前記表示部に表示される映像の色補正を行う第３の制御部を備えることを特徴とする表示部駆動回路。
【請求項８】
請求項１に記載の表示部駆動回路において、
前記第１の制御部はＡ／Ｄ変換したデジタル輝度信号の所定期間内の最大輝度情報が該当する輝度領域と平均輝度情報が該当する輝度領域とを判定し、前記判定した両輝度領域の情報をフィードバックして輝度情報を変え、前記表示部の映像のコントラストを調整するように制御し、
前記第２の制御部は前記平均輝度情報が予め設定された基準範囲の上限値よりも高いときは前記表示部の画面に照射されるバックライトの照度を増大させ、前記平均輝度情報が前記基準範囲の下限値よりも低いときは前記照度を減少させるように制御することを特徴とする表示部駆動回路。
【請求項９】
請求項８に記載の表示部駆動回路において、
前記第２の制御部は、前記平均輝度情報が前記基準範囲の上限値よりも高いとき、前記上限値を超える第１の領域では前記バックライトの照度を前記平均輝度情報の増大につれて増大させ、前記第１の領域よりも平均輝度情報がさらに高い第２の領域では前記照度の増大を抑えて約一定にし、また、前記平均輝度情報が前記基準範囲の下限値よりも低いとき、前記下限値を超える第３の領域では前記バックライトの照度を前記平均輝度情報の減少につれて減少させ、前記第３の領域よりも平均輝度情報がさらに低い第４の領域では前記照度の減少を抑えて約一定にするよう制御することを特徴とする表示部駆動回路。
【請求項１０】
請求項８に記載の表示部駆動回路において、
前記第１の制御部が判定した両輝度情報に基づき前記映像信号の色情報を変え前記表示部に表示される映像の色補正を行う第３の制御部を備えることを特徴とする表示部駆動回路。
【請求項１１】
請求項１に記載の表示部駆動回路において、
前記第１の制御部により制御された輝度情報に基づき前記映像信号の黒伸張処理を行う第４の制御部を備えることを特徴とする表示部駆動回路。
【請求項１２】
請求項８または請求項１０に記載の表示部駆動回路において、
前記第１の制御部により判定された平均輝度情報が該当する輝度領域に基づいて前記映像信号の黒伸張処理を行う第４の制御部を備えることを特徴とする表示部駆動回路。
【請求項１３】
デジタル映像信号に基づき表示部に映像を表示する映像表示装置において、
デジタル輝度信号の所定期間内の最大輝度情報と平均輝度情報とを検出する輝度情報検出回路と、
前記検出した最大輝度情報が該当する第１の輝度領域と前記平均輝度情報が該当する第２の輝度領域とを判定し、前記判定した第１の輝度領域の情報と第２の輝度領域の情報、または前記第２の輝度領域の情報に基づき、Ａ／Ｄ変換前のアナログ輝度信号またはＡ／Ｄ変換後のデジタル輝度信号のいずれか一方または両方のゲインを制御する第１のマイコンと、
前記表示部の画面に照射されるバックライトの照度を制御するバックライト制御回路と、
前記第１のマイコンからの前記第２の輝度領域の情報に基づき前記バックライト制御回路を、前記平均輝度情報が予め設定された基準範囲の上限値よりも高いときは前記バックライトの照度を増大させ、前記平均輝度情報が前記基準範囲の下限値よりも低いときは減少させるように制御する第２のマイコンと、
デジタル色信号とデジタル輝度信号とに基づき赤、緑、青のデジタル映像信号を形成し出力するカラーマトリックス回路と、
表示パネルと、
バックライト発生部と、
バックライトが画面に照射された状態で前記カラーマトリックス回路から出力されるデジタル映像信号により映像表示を行う表示部と、
を備えることを特徴とする映像表示装置。
【請求項１４】
請求項１３に記載の映像表示装置において、
前記第１、第２のマイコンのうちいずれか一方または両方は、前記表示部が画面にバックライトが照射される構成であるか否かを判別し、バックライトが照射される構成である場合に、前記第１の制御回路を制御し前記バックライトの照度を制御可能にすることを特徴とする映像表示装置。
【請求項１５】
請求項１４に記載の映像表示装置において、
前記第１、第２のマイコンのうちいずれか一方または両方は前記表示部の種類情報を含むＩＤ情報に基づき前記表示部が画面に前記バックライトが照射される構成であるか否かを判別し、前記判別の結果、前記表示部がバックライトが照射される構成である場合に前記第２のマイコンが前記バックライト制御回路を制御することを特徴とする映像表示装置。
【請求項１６】
請求項１４に記載の映像表示装置において、
Ａ／Ｄ変換前のアナログ輝度信号またはＡ／Ｄ変換後のデジタル輝度信号のいずれか一方または両方のゲインを変化させるビデオアンプと、
前記輝度情報検出回路により検出した輝度情報に基づき前記映像信号の色情報を変え前記表示部に表示される映像の色補正を行う色補正回路と、
を備え、前記第１、第２のマイコンのうちいずれか一方または両方は、前記表示部のＩＤ情報に基づき前記表示部が画面に前記バックライトが照射される構成であるか否かを判別するとともに、少なくとも、前記ビデオアンプ、前記色補正回路のいずれか一方または両方の回路設定条件を変え、前記表示部に対応したものとすることを特徴とする映像表示装置。
【請求項１７】
映像信号に基づき表示部に映像を表示する映像表示方法において、
ゲインをフィードバック制御された輝度信号の輝度情報を検出するステップと、
前記検出した輝度情報を予め設定された基準範囲と比較するステップと、
前記比較の結果、前記輝度情報が前記基準範囲の上限値よりも高いときは前記表示部の画面に照射されるバックライトの照度を増大させ、前記輝度情報が前記基準範囲の下限値よりも低いときは前記照度を減少させるように制御するステップと、
を経て、バックライトを照射した状態で前記表示部に映像表示を行う映像表示方法。
【請求項１８】
請求項１７に記載の映像表示方法において、
前記表示部が画面に前記バックライトが照射される構成であるか否かを判別するステップを有し、
前記比較するステップは、前記判別の結果、前記表示部がバックライトが照射される構成である場合に、前記検出した輝度情報を予め設定された基準範囲と比較することを特徴とする映像表示方法。
【手続補正２】
【補正対象書類名】明細書
【補正対象項目名】０００５
【補正方法】変更
【補正の内容】
【０００５】
上記課題点を解決するために、本発明では、映像信号に基づき表示部に映像を表示する映像表示装置用の表示部駆動回路において、前記映像信号の輝度情報を制御する第１の制御部と、前記第１の制御部により制御された輝度情報に基づき前記表示部の画面に照射されるバックライトの照度を制御する第２の制御部と、を備えるように構成する。